(57)【要約】【課題】防災機能を具備した瓦屋根の構築作業が面倒である。【解決手段】屋根下地Ｗへの固定部材２の前後縁部の何方か一方に立上部材３を一体形成し、該立上部材３に係止開口部４、4a…を形成し、頭側裏面に係止突起12を設けた瓦９を、該瓦９の頭側を下方の瓦９の尻側に重ねる様にして下方へスライドさせれば、自動的に係止突出部位14が防災金具１の係止開口部４、4a…に差し込まれる。そして、各瓦９の頭側は係止突起12及び防災金具１を介して屋根下地Ｗに固定され、尻側は上方の瓦９における固定状態の頭側部位と屋根下地Ｗとの間に挟まれて固定されて、葺設状態の瓦９における頭側部位の上下動を抑止して、完成した瓦屋根に防災機能を具備させる。【選択図】図５
2006104690.tif 000002
【特許請求の範囲】
【請求項１】
屋根下地への固定部材の前後縁部の何方か一方に立上部材を一体形成し、該立上部材に
係止開口部を形成したことを特徴とする防災金具。
【請求項２】
長寸な固定部材に一体形成した立上部材に複数個の係止開口部を設けたことを特徴とす
る請求項１記載の防災金具。
【請求項３】
立上部材の上端部に屈曲部位を形成したことを特徴とする請求項１及び２記載の防災金
具。
【請求項４】
請求項１乃至請求項３記載の防災金具を敷設した屋根下地に、頭側裏面に係止突起を設
けた瓦を葺設すると共に、該瓦の係止突起における係止突出部位を、上記防災金具の係止
開口部に差し込んだことを特徴とする防災金具を使用した瓦屋根構造。
【発明の詳細な説明】
【技術分野】
【０００１】
本発明は、瓦屋根に防災機能を具備させる作業を簡易化する様にした防災金具及び該防
災金具を使用した瓦屋根構造に関する。
【背景技術】
【０００２】
従来、瓦屋根に防災機能を具備させる方法としては、瓦の尻側上面に鉤状の係止突起を
設けると共に、差込部の頭側に係止受部を設け、葺設時に葺設する瓦の係止受部を、下方
の葺設された瓦の係止突起の差込凹部に差し込むことによって、葺設状態における瓦の頭
側を下方の瓦の尻側に固定し浮き上がりを抑止して、完成した瓦屋根に耐風機能を具備さ
せる様にしているものが見受けられる（例えば、特許文献１参照）。
【０００３】
【特許文献１】特開平８−９３１４１号公報（第２〜３頁、第１２〜１４図）
【発明の開示】
【発明が解決しようとする課題】
【０００４】
しかし、上記従来技術にあっては、瓦を引っ掛ける横桟の敷設固定作業、瓦の引掛けの
横桟への係止作業、瓦の葺設作業時における係止突起と差込部の係止時の横スライド作業
、及び葺設した瓦の釘などによる固定作業が必要になるため、防災機能を具備した瓦屋根
の構築作業に熟練を要するなど、解決せねばならない課題があった。
【課題を解決するための手段】
【０００５】
本発明は、上記従来技術に基づく、防災機能を具備した瓦屋根の構築作業が面倒である
課題に鑑み、屋根下地への固定部材の前後縁部の何方か一方に立上部材を一体形成し、該
立上部材に係止開口部を形成し、頭側裏面に係止突起を設けた瓦を、該瓦の係止突起にお
ける係止突出部位を、上記防災金具の係止開口部に差し込む様にして葺設することによっ
て、瓦の頭側を下方の瓦の尻側に重ねる要にして下方へスライドさせれば、自動的に係止
突出部位が防災金具の係止開口部に差し込まれ、各瓦の頭側は係止突起及び防災金具を介
して屋根下地に固定され、尻側は上方の瓦における固定状態の頭側部位と屋根下地との間
に挟まれて固定されて、葺設状態の瓦における頭側部位の上下動を抑止して、完成した瓦
屋根に防災機能を具備させる様にして、上記課題を解決する。
【発明の効果】
【０００６】
要するに本発明は、屋根下地への固定部材の前後縁部の何方か一方に立上部材を一体形
成し、該立上部材に係止開口部を形成したので、かかる防災金具を屋根下地上に配置固定
した後、防災金具上に配した瓦を流れ方向にスライドさせれば、頭側裏面に設けた係止突
起における係止突出部位が防災金具の係止開口部に挿通状態なると共に、尻側が屋根下地
上に接地して、葺設状態における瓦の頭側を屋根下地に固定することが出来、而もその下
方の瓦の尻側部位は、上方の瓦の頭側部位と屋根下地で挟まれて、瓦の尻側部位を固定す
ることが出来るため、瓦における尻側を釘等により固定しなくても防災機能を具備した瓦
屋根を構築することが出来る。
従って、屋根下地に従来の横桟の代わりに防災金具を設置して、瓦の尻側の引掛けの係
止作業の代わりに防災金具への係止突起の係止作業を行えば、瓦の尻側の釘等による固定
作業を行わずに、瓦の係止作業及び固定作業が完了するため、防災機能を具備した瓦屋根
の構築作業を簡略化することが出来る。
【０００７】
長寸な固定部材に一体形成した立上部材に複数個の係止開口部を設けたので、一本の防
災金具で複数箇所の係止開口部の位置を設定出来るため、防災金具の配置固定作業の簡易
化を図ることが出来る。
又、立上部材の上端部に屈曲部位を形成したので、例え係止開口部の上部が立上部材の
上端部に近接位置に形成されたとしても立上部材の上端部の強度を確保することが出来る
。
【０００８】
請求項１乃至請求項３記載の防災金具を敷設した屋根下地に、頭側裏面に係止突起を設
けた瓦を葺設すると共に、該瓦の係止突起における係止突出部位を、上記防災金具の係止
開口部に差し込んだので、各瓦の頭側は係止突起及び防災金具を介して屋根下地に固定さ
れ、尻側は上方の瓦における固定状態の頭側部位と屋根下地との間に挟まれて固定されて
、葺設状態の瓦における頭側部位の上下動を抑止されるため、構築された瓦屋根に防災機
能を具備させることが出来る等その実用的効果甚だ大である。
【発明を実施するための最良の形態】
【０００９】
以下、本発明に係る防災金具の一実施例を図面に基づき説明する。
本発明に係る防災金具１にあっては、図４、５、７、８、１１に示す様に、尻側裏面に
引掛け10、10a を設け、屋根下地Ｗ上の所定箇所に敷設固定されるものであり、屋根下地
Ｗへの固定部材２と、該固定部材２の前後端部の何方か一方に一体形成した立上部材３に
より断面略Ｌ字形状に形成し、かかる防災金具１の立上部材３に係止開口部４、4a…を形
成している。
他方、葺設する瓦９にあっては、図２、３に示す様に、頭側裏面にして、葺設状態にお
ける下方の瓦９の尻側部位への重合部位11の境界線Ｌより尻側の部位に係止突起12を下方
突設し、該係止突起12は下方突出部位13の下端より頭側へ係止突出部位14を一体突設した
鉤形状に形成している。又、係止突起12にあっては、図３に示す様に、積層状態において
下方の瓦９の上面に当接しない様に形成するのが好ましい。
【００１０】
そして、防災金具１の係止開口部４、4a…に、瓦９の係止突起12における係止突出部位
14を挿通させることから、各瓦９は、頭側は係止突起12及び防災金具１を介して屋根下地
Ｗに固定され、尻側は上方の瓦９における固定状態の頭側部位と屋根下地Ｗとの間に挟ま
れて固定されるため、葺設状態の瓦９における頭側部位の上下動を抑止して、完成した瓦
屋根に防災機能が具備されることになる。
【実施例１】
【００１１】
図１は、防災金具１の第１実施例の後方斜視図であり、屋根下地Ｗへの短寸な固定部材
２の前端部に立上部材３を一体形成し、該立上部材３に１個の係止開口部４を形成し、固
定部材２の両側端部に釘等の挿通孔６、6aを形成している。
そして、図４、５に示す様に、上記防災金具１を、葺設する瓦９の利き幅Ｄの間隔毎に
桁行き方向に並列し、挿通孔６に挿通した釘を屋根下地Ｗに打ち込んで固定することを利
き足Ｈの間隔毎に流れ方向に行うことで、屋根下地Ｗ上に全て設置した後、瓦９を、その
係止突起12における係止突出部位14を、各防災金具１の係止開口部４に挿通させると共に
、引掛け10、10a の下端を屋根下地Ｗ上に接地させる様にして、屋根下地Ｗ上に載置する
ことを桁行き方向及び流れ方向に順次行うことによって、屋根下地Ｗ上に瓦９を葺設する
。
【実施例２】
【００１２】
図６は、防災金具１の第２実施例の後方斜視図であり、桁行き方向に長い長寸な固定部
材２の前端部に立上部材３を一体形成し、該立上部材３に複数個の係止開口部４、4a…を
、葺設する瓦９の利き幅Ｄの間隔毎で形成し、固定部材２に横長状に形成した釘等の挿通
孔６を設けている。
そして、図７、８に示す様に、桁行き方向に葺設する瓦９の枚数分の係止開口部４、4a
…を確保すべく、複数本の防災金具１を桁行き方向に直列し、挿通孔６に挿通した釘を屋
根下地Ｗに打ち込んで固定することを、利き足Ｈの間隔毎に流れ方向に行うことで、全て
の防災金具１を屋根下地Ｗ上に設置した後、瓦９を、その係止突起12における係止突出部
位14を、防災金具１の係止開口部４、4a…に挿通させると共に、引掛け10、10a の下端を
屋根下地Ｗ上に接地させる様にして屋根下地Ｗ上に載置することを桁行き方向及び流れ方
向に順次行うことによって、屋根下地Ｗ上に瓦９を葺設する。
よって、第１実施例に比して防災金具１の配置固定作業が簡易化される。
【実施例３】
【００１３】
図９は、防災金具１の第３実施例の後方斜視図であり、桁行き方向に長い長寸な固定部
材２の前端部に、複数枚の立上部材３、3a…を、葺設する瓦９の利き幅Ｄの間隔毎に一体
形成し、該立上部材３、3a…に係止開口部４、4a…を形成し、固定部材２に横長状に形成
した釘等の挿通孔６を設けている。
そして、上記第２実施例と同様に、防災金具１を設置すると共に瓦９を葺設する様にし
ている。
【実施例４】
【００１４】
図１０は、防災金具１の第４実施例の後方斜視図であり、上記第１〜３実施例と同様に
、固定部材２及び立上部材３により構成されているが、係止開口部４、4a…の上部が立上
部材３の上端部に近接状態であるため、立上部材３の上端部に、前方側への屈曲部位５を
形成して強度を持たせる様にしている。
つまり、瓦９の裏面と係止突起12の係止突出部位14との間が狭くても、最低限屈曲部位
５の厚みがあれば、係止突起12を防災金具１の係止開口部４、4a…に挿通可能になる。
そして、上記第１〜３実施例と同様に、防災金具１を設置すると共に瓦９を葺設すると
、図１１に示す様な状態になる。
【００１５】
尚、上記第１〜４実施例にあっては、固定部材２の前端部に立上部材３を一体形成して
いるが、後端部であっても良く、而も固定部材２に挿通孔６（6a）を設けているが、防災
金具１が、釘等を打ち込みにより貫通可能な素材であればなくても良いが、好ましくは挿
通孔６、而も横長状の挿通孔６を形成するのが好ましい。
又、葺設する瓦９は平板瓦であるが、和瓦、Ｓ型瓦等であっても良く、更に、図４、５
、７、８、１１に示した瓦屋根構造にはない、屋根下地Ｗに瓦９の引掛けを係止する横桟
を設けることに問題はないが、図示の通り横桟なしで構築するのが好ましい。
【図面の簡単な説明】
【００１６】
【図１】本発明に係る防災金具の第１実施例の後方斜視図である。
【図２】防災金具用の瓦の平面図である。
【図３】図２の瓦の積層状態を示す断面図である。
【図４】図１の防災金具及び図２の瓦を使用した瓦屋根の平面図である。
【図５】図４のＸ−Ｘ断面の要部拡大図である。
【図６】本発明に係る防災金具の第２実施例の後方斜視図である。
【図７】図６の防災金具を使用した瓦屋根の平面図である。
【図８】図７のＹ−Ｙ断面の要部拡大図である。
【図９】本発明に係る防災金具の第３実施例の後方斜視図である。
【図１０】本発明に係る防災金具の第４実施例の後方斜視図である。
【図１１】図１０の防災金具を使用した瓦屋根の要部拡大断面図である。
【符号の説明】
【００１７】
１        防災金具
２        固定部材
３、3a…  立上部材
４、4a…  係止開口部
５        屈曲部位
９        瓦
12        係止突起
14        係止突出部位
Ｗ        屋根下地
【図１】
2006104690.tif 000003
【図２】
2006104690.tif 000004
【図３】
2006104690.tif 000005
【図４】
2006104690.tif 000006
【図５】
2006104690.tif 000007
【図６】
2006104690.tif 000008
【図７】
2006104690.tif 000009
【図８】
2006104690.tif 000010
【図９】
2006104690.tif 000011
【図１０】
2006104690.tif 000012
【図１１】
2006104690.tif 000013